(57)【要約】【課題】傘の柄３への取付、取り外しを容易に行えるようにする。【解決手段】施錠具２と、傘の柄３に取付けられる取付具４と、取付具４と施錠具２とを連結する索条体５とを備えた傘の盗難防止装置１において、前記取付具４は、傘の柄３を抱持する抱持体６を備え、一対の抱持体６は、抱持解除可能となるようにヒンジ７により開閉自在に連結され、一対の抱持体６の遊端側に、一対の抱持体６が閉じたときに互いに接近する一対の突出片８が設けられ、施錠具２により一対の抱持体６を閉じた状態に施錠可能となるように、一対の突出片８に施錠具２の施錠杆２ａを挿通する挿通孔１４が設けられている。【選択図】図１
2005171723.tif 000002
【特許請求の範囲】
【請求項１】
施錠具（２）と、傘の柄（３）に取付けられる取付具（４）と、取付具（４）と施錠具（２）とを連結する索条体（５）とを備えた傘の盗難防止装置（１）において、
前記取付具（４）は、傘の柄（３）を抱持する一対の抱持体（６）を備え、一対の抱持体（６）は、抱持解除可能となるようにヒンジ（７）により開閉自在に連結され、一対の抱持体（６）の遊端側に、一対の抱持体（６）が閉じたときに互いに近接する一対の突出片（８）が設けられ、施錠具（２）により一対の抱持体（６）を閉じた状態に施錠可能となるように、一対の突出片（８）に施錠具（２）の施錠杆（２ａ）を挿通する挿通孔（１４）が設けられていることを特徴とする傘の盗難防止装置。
【請求項２】
各前記抱持体（６）は、傘の柄（３）に係合するように半割円筒状の胴部（６ａ）を有していることを特徴とする請求項１に記載の傘の盗難防止装置。
【請求項３】
前記各突出片（８）が互いに接触した状態で該突出片（８）が互いに離反しないように保持する保持手段（９）が突出片（８）に設けられていることを特徴とする請求項１または２に記載の傘の盗難防止装置。
【請求項４】
取付具（４）を傘の柄（３）に取り付けたときに傘の柄（３）に対する位置ずれを規制するように固定する固定手段（１８）が抱持体（６）に設けられていることを特徴とする請求項１から３のいずれかに記載の傘の盗難防止装置。
【発明の詳細な説明】
【技術分野】
【０００１】
本発明は、傘の盗難防止装置に関するものである。
【背景技術】
【０００２】
従来、この種の盗難防止装置としては、傘の柄に取付けられる取付金具と、取付金具に設けられたチェーンと、チェーンに設けられた施錠具とを備えたものがある（例えば、特許文献１）。この盗難防止装置は、取付金具は筒状となっていて傘の柄の先端部から挿通されてビス止めによって傘の柄に取付固定されるようになっていた。
【特許文献１】特開平９−２８４３２号公報
【発明の開示】
【発明が解決しようとする課題】
【０００３】
上述のように従来の盗難防止装置は、取付金具を傘の柄の先端部から挿通してビスによって固定しなければならなかったため、取付・取り外しが煩わしいものであった。
本発明はこのような事情に鑑みてなされたものであり、傘の柄への取付、取り外しが容易に行える傘の盗難防止装置を提供することを目的とする。
【課題を解決するための手段】
【０００４】
本発明は、上記課題を解決するために以下の技術的手段を講じた。
すなわち、施錠具２と、傘の柄３に取付けられる取付具４と、取付具４と施錠具２とを連結する索条体５とを備えた傘の盗難防止装置１において、前記取付具４は、傘の柄３を抱持する一対の抱持体６を備え、一対の抱持体６は、抱持解除可能となるようにヒンジ７により開閉自在に連結され、一対の抱持体６の遊端側に、一対の抱持体６が閉じたときに互いに近接する一対の突出片８が設けられ、施錠具２により一対の抱持体６を閉じた状態に施錠可能となるように、一対の突出片８に施錠具２の施錠杆２ａを挿通する挿通孔１４が設けられていることを特徴とする。
【０００５】
これによれば、一対の抱持体６はヒンジ７によって連結されていて互いに接近離反可能となるので、取付具４を傘の柄３の直線部分３ａを挟むようにワンタッチで容易に取付けることができる。そして取付具４と施錠具２とを連結する索条体５を傘立て等の格子等に掛け渡しておいて、取付具４を施錠具２で取り外し不能に施錠することによって傘を持ち運び不能に拘束することができる。
また、各前記抱持体６は、傘の柄３に係合するように半割円筒状の胴部６ａを有していることを特徴とする。
【０００６】
これによれば、一対の抱持体６の前記胴部間に傘の柄を挟んで確実に抱持することができる。
また、前記各突出片８が互いに接触した状態で該突出片８が互いに離反しないように保持する保持手段９が突出片８に設けられていることを特徴とする。
これによれば、保持手段９によって突出片８が互いに接触した状態で保持しておくことで、施錠具２による抱持体６の施錠が容易になる。
また、取付具４を傘の柄３に取り付けたときに傘の柄３に対する位置ずれを規制するように固定する固定手段１８が抱持体６に設けられていることを特徴とする。
【０００７】
これによれば、固定手段１８によって傘の柄３に取り付けられた取付具４のガタツキを防止することができる。
【発明の効果】
【０００８】
本発明によれば、傘の柄に対して取付・取り外しが容易になる。
【発明を実施するための最良の形態】
【０００９】
以下、本発明の実施の形態を図面を参照して説明する。
図１乃至図４の第１実施形態において、傘の盗難防止装置１は、施錠具２と、傘の柄３に取付けられる取付具４と、取付具４と施錠具２とを連結する索条体５とを備えている。図１では施錠具２の例として南京錠を示しており、また索条体５の例としてチェーンを示している。
前記取付具４は、傘の柄３を抱持する一対の抱持体６を備えており、この一対の抱持体６は、樹脂製で、一端部が蝶番で例示するヒンジ７により連結されていて互いに接近離反するように回動自在となっている。一対の抱持体６をこのように回動自在とすることで、抱持体６を離反させて開いた状態で傘の柄３の直線部分３ａにあてがって、その後に抱持体６を接近させて閉じて傘の柄３を抱持することができ、このように抱持体６が傘の柄３を抱持・抱持解除できるように開閉自在に連結されることで、取付具４は、傘の柄３に対する取付・取り外しが容易に行えるようになっている。
【００１０】
一対の抱持体６の他端側は遊端とされており、この遊端側に突出片８が形成されている。一対の抱持体６に形成された一対の突出片８は、抱持体６が閉じたときに互いに近接するようになっている。ここで近接とは、突出片８同士が対向して接触した状態も含むものである。各抱持体６の胴部６ａは取付具４を閉じたときに傘の柄３の円柱形状に係合するように半割円筒状に形成されており、一方、突出片８は板状とされていて各抱持体６の筒径方向外方（以下、突出方向という）に突出形成されている。
抱持体６の筒心方向の長さは、３０ｍｍから１００ｍｍの範囲で設定されているのが望ましく、より好ましくは、６０ｍｍから７０ｍｍの間で設定されているのがよい。これによって、抱持体６を傘の柄３の直線部分３ａから先端側に移動したときでも柄３の円弧部分に引っ掛かって先端側から抜け外れないような所定長さに形成できる。
【００１１】
前記突出片８の突端部には突出片８が互いに接近または接触した状態で突出片８同士が離反しないように保持する保持手段９が設けられている。
この保持手段９は、各突出片８の突端部に突出方向に膨出して形成された突起部１０を有している。図２に示すように、各突起部１０には、突出片８を近接（接触）させたときに互いに対向する対向面１１が形成されている。一方の突起部１０の対向面１１には、対向側に突出した突起１２が設けられており、他方の突起部１０の対向面１１には、この突起１２が嵌合する凹部１３が形成されている。抱持体６を閉じて傘の柄３を抱持した状態では、前記突起１２が凹部１３に嵌合することによって、突出片８同士が互いに接触して重合した状態で連結保持される。
【００１２】
また、突出片８は、筒状の胴部６ａの長手方向の長さが同じになっており、各突出片８の長手方向の一端側には、突出片８の板厚方向に貫通した孔１４が形成されている。この孔１４は、南京錠として例示した施錠具２の施錠杆２ａ（南京錠のシャックル）を挿通する挿通孔１４であり、各突出片８の挿通孔１４は互いに一致するように形成されている。
一対の突出片８の前記挿通孔１４とは反対側（他端側）には、索条体５の一端を取り付ける取付部１５が形成されている。この取付部１５は、一方の突出片８の他端側に肉厚方向に貫通して形成した取付孔１６と、他方の突出片８の他端側に形成した切欠部１７を有している。前記取付孔１６には索条体５として例示したチェーンの一端のリング体が挿通されて一方の突出片８に掛止されており、前記切欠部１７は取付孔１６が設けられている突出片８の対向内面側が表出するように前記取付孔１６よりも大きく切欠かれており、取付孔１６に取り付けられたリング体が他方の突出片８に当たらないようになっている。
【００１３】
各抱持体６には、取付具４を傘の柄３に取り付けたときに傘の柄３に対して位置ずれを規制するように固定する固定手段１８が設けられている。この固定手段１８は、取付具４を傘の柄３に取付けたときに傘の柄３に接触する接触部１９と、接触部１９と抱持体６とを連結する連結部２０とから構成される。接触部１９と連結部２０は抱持体６と同じ樹脂製で抱持体６の成型時に一体に形成されている。
接触部１９は、板状に形成されていて、抱持体６の胴部６ａの内面よりも径方向内方に突出して形成されている。また、この接触部１９は、傘の柄３の筒形状に係合するように円弧状に形成されている。この接触部１９の内面側には径方向内方に突出する突起２１が複数形成されている。この突起２１は抱持体６の長手方向（筒心方向）に沿った突条とされ、先端が尖った形状になっている。取付具４が傘の柄３に取付けられると接触部１９は、傘の柄３の形状に係合するように弾性変形しながら接触する。
【００１４】
一方、連結部２０は、円弧状の接触部１９の端部と抱持体６の胴部６ａとを連結しており、傘の柄３に取り付けられたときに接触部１９が外方に後退するように弾性変形可能に構成されている。
また、図３に示すように、接触部１９は一対の抱持体６のそれぞれに形成されて対となっており、図例では、一対の抱持体６に２対の接触部１９が形成されている。対の接触部１９のそれぞれに形成された突起２１は、互いに対向するように配設されており、これによって、対の接触部１９は、傘の柄３に取付具４が取り付けられたときに柄３を挟むようになっている。
【００１５】
対の接触部１９の一方と他方との距離は、傘の柄３の直径よりもやや小さく設定されているのがよい。このようにすることで、取付具４が傘の柄３に取り付けられたときに、接触部１９は傘の柄３の外周形状に係合するように弾性変形しながら抱持体６の径方向外方に後退し、このとき接触部１９を支持する連結部２０も外方に弾性変形し、これによって生じる弾性力によって、抱持体６が傘の柄３に固定され、径方向のガタツキや、長手方向の位置ズレが規制されるのである。また、接触部１９が後退可能な距離を調整することによって柄３の太さ（直径）が大小異なる傘に対して取付具４をガタツキが生ずることなく取付固定することができ、この点で便利なものになっている。
【００１６】
以下、盗難防止装置１を使用方法を説明する。
まず、取付具４を開いた状態で傘の柄３の直線部分３ａに当て、抱持体６同士が接近するように回動させて突出片８同士を近接させる。そして、保持手段９によってこの突出片８を近接させた状態で保持し、索条体５を図１に示すように傘立て等の格子部に回りこませて係合させ、施錠具２の施錠杆２ａを各突出片８の挿通孔１４に挿通し、施錠する。これによって、傘は、傘立て等から離れないように拘束され、持ち運び不能となるのである。同様に、自転車のフレーム等に索条体５を係合させて持ち運び不能に拘束することも可能である。
【００１７】
このように、盗難防止装置１は、取付具４を傘の柄３の直線部分３ａにワンタッチで簡単に取り付けることができる。また、取付時には、保持手段９によって取付具４が閉じた状態に保持されるので、このとき取付具４は、手を離しても勝手に外れることがない。しかも施錠具２を施錠するときには、固定手段１８によって取付具４の位置ズレが規制されているので施錠具２の施錠杆２ａを挿通孔１４に楽に挿通することができ、盗難防止装置１は使い方が楽で非常に便利なものになっている。
図５の第２実施形態では、接触部１９の突起２１の形状が第１実施形態の場合と異なる。すなわち、接触部１９の突起２１は、半球状に形成されていて接触部１９の対向内面に複数形成されている。その他の構成は第１実施形態と同様の構成であり、同様の作用効果を奏する。
【００１８】
図６の第３実施形態では、抱持体６を連結するヒンジ７と、固定手段１８が第１実施形態、第２実施形態のものと異なる。すなわち、抱持体６の一端部同士を薄肉状の連結部２２によって連結し、この連結部２２を各抱持体６が開閉に応じて弾性変形できるように形成することでヒンジ７が構成されている。このようにすると、取付具４の形状を簡単にすることができ、樹脂成形によって一体に形成できるので組み立ての手間を省略することができる。
また、固定手段１８は、各抱持体６の胴部６ａを半割円筒状に形成し、各胴部６ａの内面に収縮可能な滑り止め部材２３を固定することによって構成されている。この滑り止め部材２３は、弾性ゴムからなる弾性体、スポンジ部材や発泡スチロール等の種々の形状のものを用いることができる。取付具４を傘の柄３に取り付けたときには、各抱持体６に設けられた対の滑り止め部材２３が抱持体６の径方向外方に収縮した状態で傘の柄３に当接し、これによって取付具４のガタツキも長手方向の位置ズレもなく取付具４が柄３に固定されるのである。その他の構成は第１実施形態と同様の構成であり、同様の作用効果を奏する。
【００１９】
なお、本発明は、上記の実施形態に限らず、以下のように種々の変形、変更が可能である。抱持体６は、樹脂製以外に金属製等種々の材質のものを採用してもよい。上記の実施形態では、抱持体６の胴部６ａは半割円筒状に形成していたが、半割多角形状等の他の種々の半割筒形状を採用してもよい。接触部１９の対向内面に突起２１を形成せずに、この内面に両面テープを貼付したり、他の種々の滑り止め剤を塗布して取付具４を傘の柄３に固定するようにしてもよい。索条体５には、チェーン以外にワイヤー等の種々の線材を用いてもよく、この線材をコイル状にして伸縮自在にしてもよい。施錠具２は南京錠に限らず、ダイヤル錠等他の種々の形式のものを用いてもよい。
【図面の簡単な説明】
【００２０】
【図１】本発明の第１実施形態を示しており、盗難防止装置の使用状態を示す斜視図である。
【図２】取付具の側面図である。
【図３】図２のＡ−Ａ矢示線断面図である。
【図４】取付具を開いた状態を示す側面図である。
【図５】本発明の第２実施形態を示す取付具の断面図である。
【図６】本発明の第３実施形態を示す取付具の平面図である。
【符号の説明】
【００２１】
１    盗難防止装置
２    施錠具
２ａ  施錠杆
３    柄
４    取付具
５    索条体
６    抱持体
７    ヒンジ
８    突出片
９    保持手段
１４    挿通孔
１８    固定手段
【図１】
2005171723.tif 000003
【図２】
2005171723.tif 000004
【図３】
2005171723.tif 000005
【図４】
2005171723.tif 000006
【図５】
2005171723.tif 000007
【図６】
2005171723.tif 000008